(57)【要約】【課題】衛星デジタルラジオ放送を記録したデータ記録装置の中からユーザが所望する楽曲を選択する際の操作をアシストする機能を備えたオーディオ装置を提供する。【解決手段】ハードディスクコントローラ２５は、受信部２１から出力された音楽データ及び番組付加情報を、放送日時データと共にハードディスク２６に記録する。リスト作成部２４は、システムコントローラ２７からの指示に応じて、例えば１週間内に放送された楽曲を放送回数順に並べた推奨楽曲リスト（週間ランキング）を自動的に作成する。システムコントローラ２７は、リスト作成部２４で作成された推奨楽曲リストを表示部２９に表示する。【選択図】　　図３
2004080275.tif 000002
【特許請求の範囲】
【請求項１】
複数のチャンネルの放送が多重化されたデジタルラジオ放送を受信して音楽データ及び番組付加情報を出力する受信部と、
前記受信部から出力された音楽データ及び番組付加情報を、放送日時データと共に記録するデータ記録部と、
前記データ記録部に記録した前記番組付加情報及び前記放送日時データを基に、設定された条件で推奨楽曲リストを作成するリスト作成部と、
前記データ記録部から読み出された音楽データをアナログオーディオ信号に変換するデコーダと、
ユーザの操作に応じて前記受信部及び前記リスト作成部を制御する制御部と
を有することを特徴とするオーディオ装置。
【請求項２】
前記制御部は一定の周期で前記リスト作成部に前記推奨楽曲リストの作成を指示し、前記リスト作成部は前記データ記録部に記録されている楽曲毎に放送回数を調べて、放送回数の多い順に楽曲名を並べた推奨楽曲リストを作成することを特徴とする請求項１に記載のオーディオ装置。
【請求項３】
前記データ記録部は前記リスト作成部で作成された前記推奨楽曲リストを複数の周期にわたって記憶し、前記リスト作成部は前記データ記録部に記憶されている複数の前記推奨楽曲リストを基に、各楽曲の放送回数を集計して放送回数の多い順に楽曲名を並べた第２の推奨楽曲リストを作成することを特徴とする請求項２に記載のオーディオ装置。
【請求項４】
前記データ記録部は、前記受信部から出力される２以上のチャンネルの音楽データ及び番組付加情報を同時に記録することを特徴とする請求項１に記載のオーディオ装置。
【発明の詳細な説明】
【０００１】
【発明の属する技術分野】
本発明は、衛星を使用して放送されるデジタルラジオ放送を受信し記録するオーディオ装置に関する。
【０００２】
【従来の技術】
近年、放送衛星を使ってラジオ番組を放送する衛星デジタルラジオ放送が米国等で実施されている。この種の衛星デジタルラジオ放送では、降雨などによる減衰の少ないＳバンドの電波を使用し、衛星から大電力の中継器により電波を送信するため、小型アンテナで安定した受信が可能であり、自動車等の移動体でのラジオ放送の聴取に極めて適している。
【０００３】
また、衛星デジタルラジオ放送では、ビル影や山間部及びトンネル内などの衛星からの電波が届かない場所に地上再送信設備（ギャップフィラー）を設置することで、高音質のラジオ放送をどこでも聴取することができるようになる。
【０００４】
衛星デジタルラジオ放送ではＴＤＭ（Ｔｉｍｅ　Ｄｉｖｉｓｉｏｎ　Ｍｕｌｔｉｐｌｅｘ　：時分割多重）方式を採用しており、数１０から１００チャンネル以上の番組が同時に放送される。ラジオ受信機では、受信した信号からユーザが所望するチャンネルのデータを抽出し、ユーザに番組を提供する。
【０００５】
また、衛星デジタルラジオ放送では、音楽データ（オーディオ信号）とともに番組付加情報が送られる。番組付加情報には、当該番組のチャンネル番号及びチャンネル名の他に、例えば音楽を放送中のときは曲名、アーティスト名、タイトル（曲名）、カテゴリー、経過時間（曲の始めからの経過時間）などの情報が含まれている。
【０００６】
オーディオ装置では、番組付加情報を利用して種々の機能が実現される。例えば、聴取中の番組の番組名や、演奏中の曲名及びアーティスト名を表示装置に表示することが可能である。また、所望のカテゴリー（ジャンル）やアーティストの楽曲のみを聴取するように、自動的にチャンネルを変更することもできる。
【０００７】
【発明が解決しようとする課題】
ところで、衛星デジタルラジオ放送をハードディスク等のデータ記録装置に記録するオーディオ装置が要望されている。この種のオーディオ装置では、データ記録装置の容量が十分に大きいので、何千曲という音楽データ及びその番組付加情報を記憶したり、複数チャンネルの放送を同時に記録することも可能である。
オーディオ装置に記録された音楽データは、ハードディスクから読み出し、アナログのオーディオ信号に変換することにより再生される。
【０００８】
しかしながら、ハードディスクに記録された何千曲という楽曲の中からユーザが好みの楽曲を選択する作業は煩雑である。
【０００９】
以上から、本発明の目的は、衛星デジタルラジオ放送を記録したデータ記録装置の中からユーザが所望する楽曲を選択する際の操作をアシストする機能を備えたオーディオ装置を提供することである。
【００１０】
【課題を解決するための手段】
上記した課題は、複数のチャンネルの放送が多重化されたデジタルラジオ放送を受信して音楽データ及び番組付加情報を出力する受信部と、前記受信部から出力された音楽データ及び番組付加情報を、放送日時データと共に記録するデータ記録部と、前記データ記録部に記録した前記番組付加情報及び前記放送日時データを基に、設定された条件で推奨楽曲リストを作成するリスト作成部と、前記データ記録部から読み出された音楽データをアナログオーディオ信号に変換するデコーダと、ユーザの操作に応じて前記受信部及び前記リスト作成部を制御する制御部とを有することを特徴とするオーディオ装置により解決する。
【００１１】
本発明においては、受信部から出力された音楽データ及び番組付加情報をデータ記録部に記憶しておく。リスト作成部は、制御部からの指示に応じて、番組付加情報及び放送日時データを基に、推奨楽曲リストを作成する。
【００１２】
例えば、制御部は、１週間毎にリスト作成部に推奨楽曲リストの作成を指示する。これにより、リスト作成部は、データ記録部に記憶されている各楽曲の放送日時データを調べて１週間内に放送された楽曲を抽出し、更にそれらの楽曲の放送回数を集計する。そして、その結果を放送回数の多い順に並べて推奨楽曲リストを作成する。この推奨楽曲リストにより、ユーザは最近流行している楽曲がわかり、楽曲を選択するときの判断材料とすることができる。
【００１３】
また、このようにして作成した１週間毎の推奨楽曲リストをデータ記録部に記憶しておき、それらの推奨楽曲リストを基に例えばその年に流行した楽曲のリスト（第２の推奨楽曲リスト）を作成することもできる。
【００１４】
衛星デジタルラジオでは、複数のチャンネルの放送が多重化されているので、１台の受信機で複数のチャンネルの放送を同時に受信することができる。また、データ記録部としてハードディスクを使用した場合は、データの書き込みを高速に行うことができるので、複数のチャンネルの放送を同時に記録することができる。従って、ユーザが現在聴取しているチャンネルの放送だけでなく、他のチャンネルの放送も同時にデータ記録部に記録しておけば、より多くの音楽データを収集できる。
【００１５】
【発明の実施の形態】
以下、本発明の実施の形態について、添付の図面を参照して説明する。
【００１６】
図１は衛星デジタルラジオ放送システムを示す模式図である。衛星ラジオ放送システムでは、複数（図では２個）の放送衛星（静止衛星）１１を使用し、放送主局１０から放送衛星１１に、多数のチャンネルの放送が多重化されたデジタルラジオ信号が送られる。静止衛星１１では、受信した信号を大出力のトランスポンダ（中継機）を介して地上に送信する。
【００１７】
デジタルラジオ受信機１３は、放送衛星１１から送信された信号を直接受信することができる。また、ビル影や山間部及びトンネル内などのように放送衛星１１からの電波が届かないところでは、地上リピータ（ギャップフィラー）１２により再送信した電波を受信することができる。
【００１８】
図２は衛星デジタルラジオ放送のデータ構成を示す図である。
【００１９】
衛星デジタルラジオ放送では、図２に示すように、複数のチャンネルが１つの衛星デジタルラジオ放送信号の中に多重化され、フレーム単位で送信される。１つのチャンネルは、音楽番組であれば音楽データと番組付加情報とにより構成され、番組付加情報には、番組名、アーティスト名、タイトル（楽曲名）、カテゴリー及び経過時間（曲の最初からの時間）などのデータが含まれている。
【００２０】
図３は本発明の実施の形態のオーディオ装置（デジタルラジオ受信機）の構成を示すブロック図である。
【００２１】
本実施の形態のオーディオ装置は、受信部２１と、オーディオ信号切替部２２と、デコーダ２３と、リスト作成部２４と、ハードディスクコントローラ２５と、ハードディスク２６と、システムコントローラ２７と、操作部２８と、表示部２９とにより構成される。
【００２２】
受信部２１は衛星デジタルラジオ信号を受信し、その信号を検波及び復調する。そして、システムコントローラ２７からの信号に応じて所定のチャンネルの音楽データ（オーディオ信号）をオーディオ信号切替部２２に出力し、音楽データ及びその番組付加情報をハードディスクコントローラ２５に出力する。ハードディスクコントローラ２５は、システムコントローラ２７の信号に応じてハードディスク２６を制御し、データの書き込み及び読み出しを行う。
【００２３】
オーディオ信号切替部２２は、システムコントローラ２７からの信号に応じて、受信部２１及びハードディスクコントローラ２５のいずれか一方から音楽データを入力し、この音楽データをデコーダ２３に伝達する。デコーダ２３は、オーディオ信号切替部２２から入力した音楽データを復調し、アナログオーディオ信号に変換して出力する。このアナログオーディオ信号は、アンプ（図示せず）を介してスピーカー（図示せず）に出力される。
【００２４】
操作部２８には当該オーディオ装置を操作するための種々の操作ボタン等が設けられている。システムコントローラ２７は、操作部２８からの信号に応じて、受信部２１、オーディオ信号切替部２２及びハードディスクコントローラ２５等を制御する。
【００２５】
表示部２９は液晶パネル等により構成されており、システムコントローラ２７からの信号に応じて受信中のチャンネルや、演奏中の楽曲の曲名及びアーティスト名等の情報を表示する。
【００２６】
リスト作成部２４は、システムコントローラ２７により制御されてプレイリスト（推奨楽曲リスト）を作成する。プレイリストの詳細は後述する。
【００２７】
以下、本実施の形態のオーディオ装置の動作について説明する。なお、説明を簡単にするために、ユーザは衛星デジタルラジオ放送の多数のチャンネルのうちの１チャンネルから１０チャンネルまで受信契約を結んでいるものとする。
【００２８】
ユーザが操作部２８を操作して受信契約しているチャンネルのうちの所定のチャンネルを指定すると、システムコントローラ２７は受信部２１及びオーディオ信号切替部２２を制御して、ユーザにより設定されたチャンネルの音楽データがデコーダ２３に入力されるようにする。これにより、設定されたチャンネルの番組がユーザに提供される。
【００２９】
一方、システムコントローラ２７は、受信部２１を制御して、受信契約を結んでいる１チャンネルから１０チャンネルまでの全ての音楽データ及びその番組付加情報をハードディスクコントローラ２５に送る。ハードディスクコントローラ２５は、これらの音楽データ及び番組付加情報を、放送日時（タイムスタンプ）と共にハードディスク２６に記録する。但し、既に同じ楽曲の音楽データがハードディスク２６に記憶されている場合は、放送日時だけを当該音楽データに関連付けて記憶する。また、ハードディスク２６の空き記憶容量が少なくなった場合、ハードディスクコントローラ２５は古いデータを破棄して、新しいデータをハードディスク２６に優先的に記憶する。
【００３０】
なお、本実施の形態では上述の如く受信契約を結んでいる全てのチャンネルから音楽データを抽出してハードディスク２６に記録するものとしたが、ユーザが聴取しているチャンネルの音楽データ及びその番組付加情報のみをハードディスク２６に記録するようにしてもよい。また、ユーザが設定した１又は複数のカテゴリー（例えば、Ｊ−ＰＯＰ、ジャズ、ロック及びブルース等）の音楽データのみをハードディスク２６に記録するようにしてもよい。
【００３１】
このようにして、ハードディスク２６には衛星デジタルラジオ放送により送られてきた多数の楽曲の音楽データ及び番組付加情報が自動的に記録される。ハードディスク２６に記録された楽曲は、後述するように曲名、アーティスト名又は放送日時等で検索することが可能であり、検索された楽曲の音楽データをハードディスク２６から読み出し、デコーダ２３でアナログオーディオ信号に変換して再生することも可能である。
【００３２】
以下、リスト作成部２４の動作について説明する。システムコントローラ２７は、一定の期間毎にリスト作成部２４を制御し、プレイリスト（推奨楽曲リスト）の作成を指示する。
【００３３】
図４は、プレイリストとして週間ランキングを作成するときの動作を示すフローチャートである。
【００３４】
まず、ステップＳ１１において、システムコントローラ２７は、例えば週末毎に、リスト作成部２４にプレイリスト（週間ランキング）の作成を指示する。これにより、ステップＳ１２に移行し、リスト作成部２４はハードディスクコントローラ２５を制御して、その週に記録された楽曲を全て抽出する。その後、ステップＳ１３に移行し、それらの楽曲毎に放送回数を調べる。但し、放送回数が少ない楽曲（例えば、１週間の放送回数が３回以下）については、プレイリストの対象から外してもよい。
【００３５】
次に、ステップＳ１４に移行して、抽出された楽曲を放送回数が多い順に並べたプレイリスト（週間ランキング）を作成する。このプレイリストは、ハードディスク２６に記録しておく。
【００３６】
また、これと同様の方法により、リスト作成部２４は月毎のプレイリスト（月間ランキング）を作成して、ハードディスク２６に記録しておく。なお、プレイリストは、例えば放送回数が上位の１０〜５０程度の楽曲で構成してもよい。また、ランキング上位の１０〜２０程度の楽曲については、ハードディスク２６の空き容量が少なくなっても音楽データを自動的に消去しないようにすることが好ましい。
【００３７】
図５は、プレイリストとして年間ランキング（第２の推奨楽曲リスト）を作成するときの動作を示すフローチャートである。
【００３８】
まず、システムコントローラ２７は、例えば１年毎に、リスト作成部２４に年間ランキングの作成を指示する。これにより、ステップＳ２１に移行し、リスト作成部２４はハードディスクコントローラ２５を制御して、１年分の月間ランキング（又は週間ランキング）を読み出す。
【００３９】
その後、ステップＳ２２に移行し、リスト作成部２４は月間ランキング（又は週間ランキング）に登録されている楽曲を抽出する。そして、ステップＳ２３に移行し、抽出した楽曲毎に放送回数を集計する。
【００４０】
次に、ステップＳ２４に移行して、リスト作成部２４は放送回数が多い順に楽曲を並べたプレイリスト（年間ランキング）を作成する。このプレイリストも、ハードディスク２６に記録しておく。
【００４１】
このようにして、ハードディスク２６には、プレイリストとして、週間ランキング、月間ランキング及び年間ランキングが自動的に記録される。
【００４２】
図６は、ハードディスク２６に記録された楽曲を選択するときに表示部２９に表示される画面の一例を示す図である。
【００４３】
この図６に示す例では、ハードディスク２６に記録された楽曲を、放送日、ランキング、アーティスト及び曲名から検索できるようになっている。
【００４４】
ユーザが、年間ランキング、月間ランキング又は週間ランキングを選択すると、システムコントローラ２７はハードディスクコントローラ２５を介してハードディスク２６から年間ランキング、月間ランキング又は週間ランキングのプレイリストを読み出し、表示部２９に表示する。図７は、表示部２９に週間ランキングのプレイリストを表示した例を示す図である。このプレイリストでユーザが所望の楽曲を指定すると、システムコントローラ２７はハードディスクコントローラ２５を介してハードディスク２６から音楽データを読み出し、楽曲の再生を開始する。
【００４５】
このように、本実施の形態では、放送回数の多い楽曲（すなわち、流行している楽曲）のリストを自動的に作成してユーザに提供するので、ユーザが楽曲を選択するときに大いに役立つ。これにより、オーディオ装置の使い勝手が著しく向上するという効果が得られる。
【００４６】
なお、図６に示す画面において、ユーザが放送日を選択した場合、表示部２９には放送日を指定する画面が表示される。この放送日指定画面でユーザが放送日を指定すると、システムコントローラ２７はハードディスクコントローラ２５を制御して、ハードディスク２６に記録された楽曲のうち、指定された日に放送された楽曲のデータ（例えば、放送チャンネル、アーティスト名、曲名及び放送時間等）を表示部２９にリスト形式で表示する。このリスト内の楽曲をユーザが指定すると、システムコントローラ２７はハードディスクコントローラ２５を介してハードディスク２６から該当する楽曲の音楽データを読み出し、その音楽データをオーディオ信号切替部２２を介してデコーダ２３に送る。これにより、ユーザが指定した楽曲が再生される。
【００４７】
図６に示す画面でユーザがアーティストを選択した場合、表示部２９にはアーティストを指定する画面が表示される。このアーティスト指定画面でユーザが所望のアーティストを指定すると、システムコントローラ２７はハードディスクコントローラ２５を制御して、ハードディスク２６に記録された楽曲のうち、指定されたアーティストの楽曲のデータを表示部２９にリスト形式で表示する。このリスト内の楽曲をユーザが指示すると、システムコントローラ２７はハードディスクコントローラ２５を介してハードディスク２６から該当する楽曲の音楽データを読み出し、楽曲を再生する。
【００４８】
図６に示す画面においてユーザが曲名を選択した場合、表示部２９には曲名を指定する画面が表示される。この曲名指定画面でユーザが曲名を指定すると、システムコントローラ２７はハードディスクコントローラ２５を制御して、ハードディスク２６に記録された楽曲のうち、指定された曲名の楽曲のデータを表示部２９にリスト形式で表示する。このリスト内の楽曲をユーザが指示すると、システムコントローラ２７はハードディスクコントローラ２５を介してハードディスク２６から該当する楽曲の音楽データを読み出し、楽曲を再生する。
【００４９】
なお、本実施の形態では、上述の如く楽曲毎に週間ランキング、月間ランキング及び年間ランキングを作成するものとしたが、アーティスト毎の週間ランキング、月間ランキング及び年間ランキングのプレイリストを作成するようにしてもよい。また、楽曲のカテゴリー毎に週間ランキング、月間ランキング及び年間ランキングを作成するようにしてもよい。
【００５０】
更に、本実施の形態ではハードディスクに音楽データ及びその番組付加情報を記憶するものとしたが、ハードディスクにはこれらのデータ以外のデータを記録できるようにしてもよい。例えば、車載用ナビゲーション装置において地図データを記憶するハードディスクの空き領域を使用して、本実施の形態で説明したように衛星デジタルラジオの番組を記録してもよい。
【００５１】
更にまた、本実施の形態ではハードディスクに楽曲データを記録するものとしたが、これによりデータ記録装置がハードディスクに限定されるものではなく、ＤＶＤ−ＲＡＭ又はその他のデータ記録装置を使用してもよい。
【００５２】
【発明の効果】
以上説明したように、本発明のオーディオ装置は、制御部からの指示に応じて、番組付加情報及び放送日時データを基に推奨楽曲リストを作成するリスト作成部を有しているので、ユーザは最近流行している楽曲がわかり、楽曲を選択するときの判断材料とすることができる。
【図面の簡単な説明】
【図１】図１は、衛星デジタルラジオ放送システムを示す模式図である。
【図２】図２は、衛星デジタルラジオ放送のデータ構成を示す図である。
【図３】図３は、本発明の実施の形態のオーディオ装置の構成を示すブロック図である。
【図４】図４は、プレイリストとして週間ランキングを作成するときの動作を示すフローチャートである。
【図５】図５は、プレイリストとして年間ランキング（第２の推奨楽曲リスト）を作成するときの動作を示すフローチャートである。
【図６】図６は、ハードディスクに記録された楽曲を選択するときに表示部に表示される画面の一例を示す図である。
【図７】図７は、表示部に週間ランキングのプレイリストを表示した例を示す図である。
【符号の説明】
１０…放送主局、
１１…放送衛星、
１２…地上リピータ、
１３…デジタルラジオ受信機、
２１…受信部、
２２…オーディオ信号切替部、
２３…デコーダ、
２４…リスト作成部、
２５…ハードディスクコントローラ、
２６…ハードディスク、
２７…システムコントローラ、
２８…操作部、
２９…表示部。
【図１】
2004080275.tif 000003
【図２】
2004080275.tif 000004
【図３】
2004080275.tif 000005
【図４】
2004080275.tif 000006
【図５】
2004080275.tif 000007
【図６】
2004080275.tif 000008
【図７】
2004080275.tif 000009